(57)【特許請求の範囲】
【請求項１】
ファインダと外部モニターとの２つの画像表示系を有し、該外部モニターが本体に対して開閉自在に支持された映像入力装置であって、
上記外部モニターの画像表示面に搭載されたタッチパネルと、
該タッチパネルの操作ボタン表示を画像表示上の映像に重畳する重畳手段と、
上記操作ボタン表示を上記外部モニターの開閉状態に拘わらず上記画像表示面上に強制的にＯＮ−ＯＦＦする画面表示スイッチとを備えた
ことを特徴とする映像入力装置。
【請求項２】
請求項１に記載の映像入力装置であって、
上記画面表示スイッチは、上記外部モニターが本体に対して閉じられた状態で操作可能な位置に設けられた
ことを特徴とする映像入力装置。
【請求項３】
請求項１に記載の映像入力装置であって、
上記操作ボタン表示がＯＦＦの状態でタッチパネルに接触すると操作ボタン表示をＯＮするようにした
ことを特徴とする映像入力装置。
【発明の詳細な説明】
【０００１】
【発明の属する技術分野】
本発明は、ファインダと外部モニターとの２つの画像表示系を有し、外部モニターの画像表示面にタッチパネルが搭載された映像入力装置おいて、タッチパネルの操作ボタン表示を制御することにより、表示画像を見易くする技術に関する。
【０００２】
【従来の技術】
映像入力装置、例えば、ビデオカメラやスチルカメラに搭載された外部モニターにおいて、その映像入力装置本体に対して開閉できるようにしたものがある。
【０００３】
また、外部モニターの画像表示面に透明でその下に表示される画像が透けて見えるスイッチ、いわゆるタッチパネルを搭載したものがある。かかるタッチパネルは、画像表示面に２次元的な画像として表示された操作ボタン表示の上を直接、指などで触れることにより、所定の信号を出力できるようになっている。尚、タッチパネルは公知のものなので、その動作原理等の詳しい説明は省略する。
【０００４】
【発明が解決しようとする課題】
ところで、上記したようなタッチパネルが外部モニターに搭載された映像入力装置にあっては、タッチパネルの操作ボタン表示は映像に重畳して画像表示面に表示されるものであり、タッチパネルにより入力操作をしようとする場合には、その操作ボタン表示は必須である反面、かかる操作ボタン表示により、映像の一部が隠れてしまい、表示画像が見にくくなってしまうという問題がある。
【０００５】
そこで、本発明は、上記した事情に鑑み、タッチパネルが外部モニターに搭載された映像入力装置において、タッチパネルの操作ボタン表示を適時行なうことにより表示画像が見にくくなることがないようにすることを課題とする。
【０００６】
【課題を解決するための手段】
本発明映像入力装置は、上記した課題を解決するために、外部モニターの画像表示面に搭載されたタッチパネルと、該タッチパネルの操作ボタン表示を画像表示上の映像に重畳する重畳手段と、操作ボタン表示を外部モニターの開閉状態に拘わらず画像表示面上に強制的にＯＮ−ＯＦＦする画面表示スイッチとを備えたものである。
【０００７】
従って、本発明映像入力装置にあっては、画面表示スイッチを操作することにより、外部モニターの開閉状態に拘らず、操作者の意思により操作ボタン表示のＯＮ−ＯＦＦを行なうことができる。
【０００８】
また、請求項３に記載した発明は、外部モニターの画像表示面に搭載されたタッチパネルと、該タッチパネルの操作ボタン表示を画像表示上の映像に重畳する重畳手段とを備え、操作ボタン表示がＯＦＦの状態でタッチパネルに接触すると操作ボタン表示をＯＮするようにしたものである。
【０００９】
従って、請求項３に記載した発明にあっては、タッチパネルに接触するだけで、操作ボタン表示を行なうことができ、操作性の向上を図ることができる。
【００１２】
【発明の実施の形態】
以下に、本発明映像入力装置の実施の形態について、添付図面を参照して説明する。
【００１３】
映像入力装置１は、図１乃至図３に示すように、撮影時又は再生時に、被写体の画像又は再生画像を表示するための画像表示系としてエレクトロビューファインダ（ＥＶＦ）２及び外部モニター３とを有するビデオカメラである。
【００１４】
ＥＶＦ２及び外部モニター３は、大きさは異なるが、共に表示装置として液晶表示装置（ＬＣＤ）等を使用したものである。
【００１５】
外部モニター３は、ビデオカメラ１の本体４に対して、図１に矢印で示すように、開閉及び回転自在に支持されている。外部モニター３はＬＣＤパネル５と、該ＬＣＤパネル５の画像表示面６に貼付されたタッチパネル７とを有し、タッチパネル７は、画像表示面６に映し出される画像が見えるように透明に構成されている。
【００１６】
また、ビデオカメラ１は、光学系８により写し出された映像を電気信号に変換する映像号処理手段９と、ＬＣＤパネル５に画像を表示するためのＬＣＤコントローラ１０と、タッチパネル７の操作ボタン表示１１、１１、・・・を作り出すためのＯＳＤ（Ｏｎ  Ｓｃｒｅｅｎ  Ｄｉｓｐｌａｙ）コントローラ１２と、これらコントローラ１０、１２を制御するマイクロコンピュータ（マイコン）１３と外部モニター３の本体に対する開閉を検出するモニター開閉検出スイッチ１４とを有する（図２参照）。
【００１７】
ＯＳＤコントローラ１２は、タッチパネル７の操作ボタン表示１１、１１、・・・を作成し、電気信号としてＬＳＤコントローラ１０に出力するものであり、特許請求の範囲に記載した「重畳手段」に相当する。
【００１８】
尚、ここで、各種操作ボタン表示１１、１１、・・・として、「○」「▽」「△」「□」が表示されており（図２参照）、各「○」「▽」「△」「□」の操作ボタンに所定の処理（操作）が設定されている。
【００１９】
ＬＳＤコントローラ１０は、映像信号処理手段９から出力された映像信号とＯＳＤコントローラ１２から出力された操作ボタン表示１１、１１、・・・の操作表示信号とを混合して外部モニター３に出力して画面を表示する（図２参照）。
【００２０】
モニター開閉検出スイッチ１４は、ビデオカメラ本体４と外部モニター３との間のヒンジ部に内蔵されており、外部モニター３がビデオカメラ本体４に対して開放状態か閉塞状態かを検出し、これをマイコン１３に出力する（図２参照）。
【００２１】
また、ビデオカメラ本体４には、画像表示面６上に上記操作ボタン表示１１、１１、・・・を強制的にＯＮ−ＯＦＦする画面表示スイッチ１５が設けられている。
【００２２】
そして、マイコン１３は、タッチパネル７、モニター開閉検出スイッチ１４、画面表示スイッチ１５からの出力を受けて、ＬＣＤコントローラ１０及びＯＳＤコントローラ１２を制御するほか、外部モニター３が開放状態のときの操作ボタン表示１１、１１、・・・が表示された状態か否かを記憶する。
【００２３】
次に、操作ボタン表示１１、１１、・・・がどのようにしてＯＮ−ＯＦＦされるか、図３のフローチャートに基づき説明する。
【００２４】
Ｓ１で、外部モニター３がビデオカメラ本体４に対して閉塞されているか、開放されているかを判断する。この判断には、上記モニター開閉検出スイッチ１４からの出力信号に基づき為される。外部モニター３が開放状態と判断されたときはＳ２に進み、閉塞状態と判断されたときはＳ３に進む。
【００２５】
Ｓ２では、操作ボタン表示１１、１１、・・・が画面に表示されているか否かを判断する。画面表示が為されているときはＳ４に進み、画面表示がされていないときはＳ５に進む。
【００２６】
Ｓ３では、外部モニター３が閉塞状態であることから操作ボタン表示１１、１１、・・・をＯＦＦするようにマイコン１３がＬＣＤコントローラ１０を制御して、Ｓ６に進み、Ｓ６では「その他の処理」が行われる。
【００２７】
Ｓ４では、操作ボタン表示１１、１１、・・・が為されている状態において、画面表示スイッチ１５の入力が有るか否かを判断する。画面表示スイッチ１５の入力があるときはＳ７に進み、画面表示スイッチ１５の入力がないときはＳ６に進み、Ｓ６では「その他の処理」が行われる。
【００２８】
Ｓ５では、操作ボタン表示１１、１１、・・・がＯＦＦのとき、タッチパネル７に接触があったか否かを判断する。接触がないときはＳ８に進み、接触があったときはＳ９に進む。
【００２９】
Ｓ７では、Ｓ４における画面表示スイッチ１５の入力信号を受けて画面表示をＯＦＦして、Ｓ６に進み「その他の処理」が行われる。
【００３０】
Ｓ８では、画面表示がＯＦＦで、かつ、タッチパネル７に接触がないとき、画面表示スイッチ１５の入力が有るか否かを判断する。画面表示スイッチ１５の入力があるときはＳ９に進む。画面表示スイッチ１５の入力がないときはＳ６に進み「その他の処理」が行われる。
【００３１】
Ｓ９では、Ｓ５におけるタッチパネル７の接触信号又は画面表示スイッチ１５の入力信号を受けて画面表示をＯＮして、Ｓ６に進み「その他の処理」が行われる。
【００３２】
また、マイコン１３においては、外部モニター３が開放状態のときの操作ボタン表示１１、１１、・・・が表示された状態か否かを記憶しており、外部モニター３が閉塞された後、再び、開放されたときに前の状態と同じ操作ボタン表示のＯＮ−ＯＦＦを行なうようになっている。
【００３３】
しかして、外部モニター３を開放した状態（操作者はＥＶＦ２を覗いていない状態）において、画面表示スイッチ１５のＯＮ−ＯＦＦにより、画面上に操作ボタン表示１１、１１、・・・の表示を選択することができる。
【００３４】
また、画面上に操作ボタン表示１１、１１、・・・が為されていない場合に、タッチパネル７に接触すると、タッチパネル７の出力信号を受けてマイコン１３がＯＳＤコントローラ１２に画像表示指令を発し、画像表示面６には操作ボタン表示１１、１１、・・・がＯＮされる。
【００３５】
更に、外部モニター３をビデオカメラ本体４に対して閉塞すると、モニター開閉検出スイッチ１４により閉塞されたことが検出され、マイコン１３により操作ボタン表示１１、１１、・・・のＯＦＦ指令がＯＳＤコントローラ１２に発せられ、操作ボタン表示１１、１１、・・・がＯＦＦされる。これにより、ＥＶＦ２を覗きながら撮影をする場合には常にＥＶＦ２内の画面には操作ボタン表示１１、１１、・・・はＯＮされず、撮影に映像情報のすべてをＥＶＦ２内に表示することができる。
【００３６】
更にまた、外部モニター３を開いた状態から、一旦閉じ、再び、開いたときに上記マイコン１３には、閉じる前の状態において画像表示面６上に操作ボタン表示１１、１１、・・・がＯＮであったかＯＦＦであったかが記憶されており、外部モニター３を再度開いたときにその記憶に基づき操作ボタン表示１１、１１、・・・のＯＮ−ＯＦＦを行なうので、外部モニター３を再び開いたときに、操作ボタン表示１１、１１、・・・のＯＮ−ＯＦＦを操作者が行なう必要がなく、操作性の向上を図ることができる。
【００３７】
尚、上記実施の形態においては、本発明をビデオカメラに適用したものを示したが、例えば、ＥＶＦと外部モニターとを有する電子スチルカメラに適用することも可能である。
【００３８】
また、前記実施の形態及び実施例において示した各部の具体的な形状及び構造は、何れも本発明を実施するに当たっての具体化のほんの一例を示したものに過ぎず、これらによって本発明の技術的範囲が限定的に解釈されることがあってはならないものである。
【００３９】
【発明の効果】
以上に記載したところから明らかなように本発明映像入力装置は、ファインダと外部モニターとの２つの画像表示系を有し、該外部モニターが本体に対して開閉自在に支持された映像入力装置であって、上記外部モニターの画像表示面に搭載されたタッチパネルと、該タッチパネルの操作ボタン表示を画像表示上の映像に重畳する重畳手段と、操作ボタン表示を外部モニターの開閉状態に拘わらず画像表示面上に強制的にＯＮ−ＯＦＦする画面表示スイッチとを備えたことを特徴とする。
【００４０】
従って、本発明映像入力装置にあっては、画面表示スイッチを操作することにより、外部モニターの開閉状態に拘らず、操作者の意思により操作ボタン表示のＯＮ−ＯＦＦを行なうことができる。
【００４１】
また、請求項３に記載した発明は、ファインダと外部モニターとの２つの画像表示系を有し、該外部モニターが本体に対して開閉自在に支持された映像入力装置であって、上記外部モニターの画像表示面に搭載されたタッチパネルと、該タッチパネルの操作ボタン表示を画像表示上の映像に重畳する重畳手段とを備え、操作ボタン表示がＯＦＦの状態でタッチパネルに接触すると操作ボタン表示をＯＮするようにしたことを特徴とする。
【００４２】
従って、請求項３に記載した発明にあっては、タッチパネルに接触するだけで、操作ボタン表示を行なうことができ、操作性の向上を図ることができる。
【図面の簡単な説明】
【図１】図２及び図３と共に、本発明映像入力装置の実施の形態を示すものであり、本図は外部モニターが開いた状態の斜視図である。
【図２】全体の回路図である。
【図３】フローチャート図である。
【符号の説明】
１…ビデオカメラ（映像入力装置）、２…ＥＶＦ（ファインダ）、３…外部モニター、４…本体、６…画像表示面、７…タッチパネル、１１…操作ボタン表示、１２…ＯＳＤコントローラ（重畳手段）、１３…マイコン（記憶手段）、１４…モニター開閉検出スイッチ（開閉状態検出手段）、１５…画面表示スイッチ
【図１】
0004240249.tif 000002
【図２】
0004240249.tif 000003
【図３】
0004240249.tif 000004